【手続補正書】
【提出日】令和3年10月29日(2021.10.29)
【手続補正１】
【補正対象書類名】特許請求の範囲
【補正対象項目名】全文
【補正方法】変更
【補正の内容】
【特許請求の範囲】
【請求項１】
クリーニングデバイスに取り外し可能に取り付け可能なクリーニングヘッドであって、上側及び下側と、吸引入口と、を有し、前記クリーニングヘッドの前記下側は、クリーニングされる表面に接触するように構成される、クリーニングヘッドと、
前記クリーニングヘッドに永久的に取り付けられ、かつ、前記吸引入口から塵を受け取るように構成された集塵チャンバと、を備え、
前記集塵チャンバは、前記集塵チャンバを損傷することなく、前記集塵チャンバ内の塵を処分するためにユーザが開けることはできず、
前記クリーニングヘッドは、前記クリーニングヘッドの前記下側にクリーニングシートを保持するように構成される、装置。
【請求項２】
前記クリーニングヘッドの前記下側に保持されたクリーニングシートをさらに備える、請求項１に記載の装置。
【請求項３】
前記クリーニングシートが、前記クリーニングヘッドの前記下側に永久的に保持される、請求項２に記載の装置。
【請求項４】
前記集塵チャンバが、前記クリーニングヘッドの前記上側に配置される、請求項１に記載の装置。
【請求項５】
前記集塵チャンバが、前記クリーニングヘッドにヒートシールされる、請求項４に記載の装置。
【請求項６】
クリーニングデバイスに取り外し可能に取り付け可能なクリーニングヘッドであって、上側及び下側と、吸引入口と、を有し、前記クリーニングヘッドの前記下側は、クリーニングされる表面に接触するように構成される、クリーニングヘッドと、
前記クリーニングヘッドに永久的に取り付けられ、かつ、前記吸引入口から塵を受け取るように構成された集塵チャンバと、を備え、
前記集塵チャンバは、前記集塵チャンバを損傷することなく、前記集塵チャンバ内の塵を処分するためにユーザが開けることはできず、
前記集塵チャンバが、前記クリーニングヘッドの前記上側から突出し、
前記集塵チャンバが、少なくとも部分的にエアフィルタによって形成される、装置。
【請求項７】
前記クリーニングヘッドが、ごみくずを前記吸引入口から前記集塵チャンバへ移送するように構成された気流導管をさらに備える、請求項６に記載の装置。
【請求項８】
前記吸引入口が、前記クリーニングヘッドの前部で横方向に延在する吸引ノズルを備える、請求項６に記載の装置。
【請求項９】
前記吸引ノズルが、前記クリーニングヘッドと一体的に形成される、請求項８に記載の装置。
【請求項１０】
前記クリーニングヘッドが、熱成形されたプラスチックによって少なくとも部分的に形成された支持構造を有する、請求項６に記載の装置。
【請求項１１】
クリーニングデバイスをさらに備え、
前記クリーニングデバイスは、真空源と、ハンドルを有する本体と、前記クリーニングヘッドを前記本体に取り付けるように構成されたコネクタと、を備える、請求項６に記載の装置。
【請求項１２】
前記コネクタが、第１係合要素を含み、
前記クリーニングヘッドが、前記クリーニングヘッドを前記クリーニングデバイスの前記本体に接続するために前記第１係合要素と係合するように構成された第２係合部材を含む、請求項１１に記載の装置。
【請求項１３】
噴霧ノズルと、液体を前記噴霧ノズルに供給するように構成された液体リザーバと、をさらに備える、請求項６に記載の装置。
【請求項１４】
クリーニングデバイスに取り外し可能に取り付け可能なヘッドであって、上側及びクリーニングされる表面に接触するように配置された下側と、吸引入口と、を有するヘッドと、
前記ヘッドに取り付けられ、かつ、前記吸引入口から塵を受け取るように構成された集塵チャンバであって、上壁と１つ又は複数の側壁とを有し、前記１つ又は複数の側壁の少なくとも一部はエアフィルタで形成される、集塵チャンバと、を備え、
前記集塵チャンバが、前記ヘッドに永久的に取り付けられる、装置。
【請求項１５】
前記集塵チャンバは、前記集塵チャンバを損傷することなく、前記集塵チャンバ内の塵を処分するためにユーザが開けることはできない、請求項１４に記載の装置。
【請求項１６】
クリーニングデバイスに取り外し可能に取り付け可能なヘッドであって、上側及びクリーニングされる表面に接触するように配置された下側と、吸引入口と、を有するヘッドと、
前記ヘッドに取り付けられ、かつ、前記吸引入口から塵を受け取るように構成された集塵チャンバであって、上壁と１つ又は複数の側壁とを有し、前記１つ又は複数の側壁の少なくとも一部はエアフィルタで形成される、集塵チャンバと、
前記支持体に永久的に取り付けられたクリーニングシートと、を備え、
前記ヘッドが、クリーニングヘッドを備え、前記吸引入口が、吸引ノズルを含み、
前記クリーニングヘッドが、前記クリーニングシート用の支持体を備える、装置。
【請求項１７】
前記集塵チャンバが、前記ヘッドに永久的に取り付けられる、請求項１６に記載の装置。
【請求項１８】
前記集塵チャンバは、前記集塵チャンバを損傷することなく、前記集塵チャンバ内の塵を処分するためにユーザが開けることはできない、請求項１７に記載の装置。
【請求項１９】
前記集塵チャンバは、前記集塵チャンバを損傷することなく、前記集塵チャンバ内の塵を処分するためにユーザが開けることはできない、請求項１６に記載の装置。
【請求項２０】
前記上面が、前記ヘッドをクリーニングデバイスに取り付けるために係合要素を受け入れるように構成された１つ又は複数の凹部を含む、請求項１６に記載の装置。
【請求項２１】
クリーニングデバイスを使用する方法であって、前記クリーニングデバイスは、真空源と、ハンドルを含む本体と、クリーニングヘッドを前記デバイスに取り外し可能に接続するためのコネクタと、を含み、前記方法は、
第１吸引ノズルと第１集塵チャンバとを含む第１クリーニングヘッドを前記コネクタに取り付けることと、
塵を前記第１吸引ノズルを通して前記第１集塵チャンバに移動するように前記デバイスを操作することと、
前記第１クリーニングヘッドを前記コネクタから取り外すことと、
前記第１クリーニングヘッドを処分することと、
第２吸引ノズルと第２集塵チャンバとを含む第２クリーニングヘッドを前記コネクタに取り付けることと、
を含む、方法。
【請求項２２】
前記集塵チャンバが、前記クリーニングヘッドに永久的に取り付けられる、請求項２１に記載の方法。
【請求項２３】
前記クリーニングヘッドが、クリーニングシート用の支持体を含む、請求項２１に記載の方法。
【請求項２４】
取り外すことの前に、
クリーニング液を表面に適用することと、
前記第１クリーニングヘッドを前記表面を横切って移動することであって、クリーニングシートが前記クリーニングヘッドの下面に取り付けられていることと、
をさらに含む、請求項２１に記載の方法。
【請求項２５】
クリーニングデバイスを使用する方法であって、前記クリーニングデバイスは、本体と、ハンドルと、真空源と、前記本体に取り付けられたヘッドと、を含み、前記方法は、
吸引ノズルが第１集塵チャンバに流体的に接続されるように、前記第１集塵チャンバが取り付けられた第１集塵チャンバ支持体を前記ヘッドの下側に取り付けることと、
塵を表面から前記第１集塵チャンバへ吸い込むように前記デバイスを操作することと、
前記第１集塵チャンバ支持体及び取り付けられた第１集塵チャンバを前記ヘッドから取り外すことと、
前記第１集塵チャンバ支持体及び取り付けられた第１集塵チャンバを処分することと、
吸引ノズルが第２集塵チャンバに流体的に接続されるように、前記第２集塵チャンバが取り付けられた第２集塵チャンバ支持体を前記ヘッドの前記下側に取り付けることと、
を含む、方法。
【請求項２６】
前記集塵チャンバが、前記クリーニングヘッドに永久的に取り付けられる、請求項２５に記載の方法。
【請求項２７】
前記クリーニングヘッドが、クリーニングシート用の支持体を含む、請求項２５に記載の方法。
【請求項２８】
取り外す前に、
クリーニング液を前記表面に適用することと、
前記第１クリーニングヘッドを前記表面を横切って移動することであって、クリーニングシートが前記クリーニングヘッドの下面に取り付けられている、移動することと、
をさらに含む、請求項２５に記載の方法。
【請求項２９】
クリーニングデバイスに取り外し可能に取り付け可能なクリーニングヘッドであって、上側及びクリーニングされる表面に接触するように配置された下側を有するクリーニングヘッドと、
前記クリーニングヘッドに永久的に取り付けられ、かつ、吸引入口から空気入口開口部を介して塵を受け取るように配置された集塵チャンバと、を備え、
前記集塵チャンバには、前記空気入口開口部以外の開口部がなく、
前記クリーニングヘッドが、前記クリーニングヘッドの前記下側にクリーニングシートを保持するように構成される、装置。
【請求項３０】
前記クリーニングヘッドの前記下側に保持されたクリーニングシートをさらに備える、請求項２９に記載の装置。
【請求項３１】
前記クリーニングシートが、前記クリーニングヘッドの前記下側に永久的に保持される、請求項３０に記載の装置。
【請求項３２】
前記集塵チャンバが、前記クリーニングヘッドの前記上側に配置される、請求項２９に記載の装置。
【請求項３３】
前記集塵チャンバが、前記クリーニングヘッドにヒートシールされる、請求項３２に記載の装置。
【請求項３４】
クリーニングデバイスに取り外し可能に取り付け可能なクリーニングヘッドであって、上側及びクリーニングされる表面に接触するように配置された下側を有するクリーニングヘッドと、
前記クリーニングヘッドに永久的に取り付けられ、かつ、吸引入口から空気入口開口部を介して塵を受け取るように配置された集塵チャンバと、を備え、
前記集塵チャンバには、前記空気入口開口部以外の開口部がなく、
前記集塵チャンバが、前記クリーニングヘッドの前記上側から突出し、
前記集塵チャンバが、少なくとも部分的にエアフィルタによって形成される、装置。
【請求項３５】
前記吸引入口が、前記クリーニングヘッドの前部で横方向に延在する吸引ノズルを備える、請求項３４に記載の装置。
【請求項３６】
前記吸引ノズルが、前記クリーニングヘッドと一体的に形成される、請求項３５に記載の装置。
【請求項３７】
前記クリーニングヘッドが、熱成形されたプラスチックによって少なくとも部分的に形成された支持構造を有する、請求項３４に記載の装置。
【請求項３８】
クリーニングデバイスをさらに備え、
前記クリーニングデバイスは、真空源と、ハンドルを有する本体と、前記クリーニングヘッドを前記本体に取り付けるように構成されたコネクタと、を備える、請求項３４に記載の装置。
【請求項３９】
前記コネクタが、第１係合要素を含み、
前記クリーニングヘッドが、前記クリーニングヘッドを前記クリーニングデバイスの前記本体に接続するために前記第１係合要素と係合するように構成された第２係合部材を含む、請求項３８に記載の装置。
【請求項４０】
噴霧ノズルと、液体を前記噴霧ノズルに供給するように構成された液体リザーバとをさらに備える、請求項３８に記載の装置。